(57)【要約】【課題】未熟な美容師や素人であっても、基準染毛剤の混合によって染色される毛髪の仕上がり色を高精度で簡単に予測することができる調合染毛剤の染色結果予測方法を提供すること。【解決手段】少なくとも複色の染毛剤Ａ・Ｂ・Ｃ…を調合して調合染毛剤Ｍを生成し、この調合染毛剤Ｍで染色される毛髪が呈する近似色を予測する方法であって、サンプル毛束Ｓを前記染毛剤Ａ・Ｂ・Ｃ…で各々染色して試染毛束Ａ’・Ｂ’・Ｃ’…を作製し、これら各試染毛束Ａ’・Ｂ’・Ｃ’…が示す色合いをマンセル表色系カラーサークル１上に座標ａ・ｂ・ｃ…としてプロットする一方、一染毛剤に他染毛剤を添加していき、前記マンセル表色系カラーサークル１上で色変化を確認しながら調合して各染毛剤同士の色強度の相対関係を求め、前記座標ａ・ｂ・ｃ…の距離比分関係に基づいて、調合染毛剤Ｍによって染色される毛髪の仕上がり色を予測できるという技術的手段を採用した。【選択図】　図１
2004061439.tif 000002
【特許請求の範囲】
【請求項１】
少なくとも複色の染毛剤Ａ・Ｂ・Ｃ…を調合して調合染毛剤Ｍを生成し、この調合染毛剤Ｍで染色される毛髪が呈する近似色を予測する方法であって、
サンプル毛束Ｓを前記染毛剤Ａ・Ｂ・Ｃ…で各々染色して試染毛束Ａ’・Ｂ’・Ｃ’…を作製し、これら各試染毛束Ａ’・Ｂ’・Ｃ’…が示す色合いをマンセル表色系カラーサークル１上に座標ａ・ｂ・ｃ…としてプロットする一方、
一染毛剤に他染毛剤を添加していき、前記マンセル表色系カラーサークル１上で色変化を確認しながら調合して各染毛剤同士の色強度の相対関係を求め、
前記座標ａ・ｂ・ｃ…の距離比分関係に基づいて、調合染毛剤Ｍによって染色される毛髪の仕上がり色を予測できることを特徴とする調合染毛剤の染色結果予測方法。
【請求項２】
円周に沿って、赤、赤橙、橙、黄橙、黄、黄緑、緑、青緑、青、青紫、紫、赤紫の１２色相が対面補色関係になるように配色され、かつ、中心に向かって小彩度になるようにカラーグラデーションを表示して形成せるマンセル表色系カラーサークル１を用いることを特徴とする請求項１記載の調合染毛剤の染色結果予測方法。
【請求項３】
円周に沿って、赤、赤橙、橙、黄橙、黄、黄緑、緑、青緑、青、青紫、紫、赤紫の１２色相が３０度毎の等間隔に対面補色関係になるように配色され、かつ、中心に向かって小彩度になるようにカラーグラデーションを表示して形成せるマンセル表色系カラーサークル１を用いることを特徴とする請求項１または２記載の調合染毛剤の染色結果予測方法。
【請求項４】
色票パネルが等間隔に配列されて形成せるマンセル表色系カラーサークル１を用いることを特徴とする請求項１〜３の何れか一つに記載の調合染毛剤の染色結果予測方法。
【請求項５】
サンプル毛束Ｓを染色した試染毛束Ａ’・Ｂ’・Ｃ’…が各色票パネル上に配置されて成るマンセル表色系カラーサークル１を用いることを特徴とする請求項１〜４の何れか一つに記載の調合染毛剤の染色結果予測方法。
【請求項６】
マンセル表色系カラーサークル１をコンピュータ表示手段に表示し、座標ａ・ｂ・ｃ…を画面上にプロットし、これら座標ａ・ｂ・ｃ…の距離比分関係に基づいて電算処理することによって、調合染毛剤Ｍによって染色される毛髪の仕上がり色を予測できることを特徴とする請求項１〜３の何れか一つに記載の調合染毛剤の染色結果予測方法。
【請求項７】
毛髪を目的色に染色すべく調合染毛剤Ｍを生成するために必要な複色の染毛剤の配合比率を決定する方法であって、
目的とする毛髪の色合いを目的色座標Ｔとしてマンセル表色系カラーサークル１上の対応位置にプロットする一方、
染毛剤Ａ・Ｂ・Ｃ…で各々染色して試染毛束Ａ’・Ｂ’・Ｃ’…を作製し、各試染毛束Ａ’・Ｂ’・Ｃ’…の示す色合いをマンセル表色系カラーサークル１上に仮定座標ａ’　・ｂ’　・ｃ’　…としてプロットし、
これらの仮定座標ａ’　・ｂ’　・ｃ’　…と前記目的色座標Ｔとの距離比分関係に基づいて、調合染毛剤Ｍを作製するために必要な各染毛剤Ａ・Ｂ・Ｃ…の混合分量比率を決定することを特徴とする調合染毛剤の配合比率決定方法。
【請求項８】
円周に沿って、赤、赤橙、橙、黄橙、黄、黄緑、緑、青緑、青、青紫、紫、赤紫の１２色相が対面補色関係になるように配色され、かつ、中心に向かって小彩度になるようにカラーグラデーションを表示して形成せるマンセル表色系カラーサークル１を用いることを特徴とする請求項７記載の調合染毛剤の染毛剤配合比率決定方法。
【請求項９】
マンセル表色系カラーサークル１をコンピュータ表示手段に表示し、仮定座標ａ’　・ｂ’　・ｃ’　…および目的とする毛髪の色合いを目的色座標Ｔとしてマンセル表色系カラーサークル１上の対応位置にプロットする一方、仮定座標ａ’　・ｂ’　・ｃ’　…と目的色座標Ｔとの距離比分関係に基づいて電算処理することによって、これらの仮定座標ａ’　・ｂ’　・ｃ’　…と前記目的色座標Ｔとの距離比分関係に基づいて、調合染毛剤Ｍを作製するために必要な各染毛剤Ａ・Ｂ・Ｃ…の混合分量比率を決定することを特徴とする請求項７または８記載の調合染毛剤の染毛剤配合比率決定方法。
【発明の詳細な説明】
【０００１】
【発明の属する技術分野】
本発明は、毛髪の染色手法の改良、更に詳しくは、未熟な美容師や素人であっても、調合染毛剤で染色される毛髪が呈する近似色を高精度で簡単に予測することができ、また、その配合比率をも求めることができる調合染毛剤の染色結果予測方法および配合比率決定方法に関するものである。
【０００２】
【従来の技術】
周知のとおり、ヘアースタイルは各人の個性を特徴付ける重要な要素であり、毛髪の長短やパーマネントといった髪型だけでなく、最近では、老若男女を問わず、毛髪に金色や茶色、赤色などの染色処理を施すヘアカラーが流行している。
【０００３】
ところで、各ユーザーの目的色は多種多様であり、その要望に応えるべくオリジナルな毛色に染め上げるためには、まず、基準色の染毛剤を調合することによって調合染毛剤を作製するのであるが、この際、調合者は複色の基準染毛剤の調合比率を検討して混合後の結果色を予測し、この調合染毛剤で染色した毛髪の近似色を予測するのである。
【０００４】
しかしながら、２色の染毛剤の混合であれば、ある程度の精度で中間色を予測することが可能であったが、３色以上の染毛剤を調合するとなると、結果色を予測することは困難であり、どうしても勘に頼るしかなく、全く違った混色結果になることもしばしばあった。
【０００５】
また、ユーザーが指定する目的色を作り出すための基準染毛剤の調合比を決定するのは非常に困難であり、熟練した美容師であっても失敗が多く、なかなか作り出すことができないという問題があった。
【０００６】
【発明が解決しようとする課題】
本発明は、染毛する際に上記のような困難があったことに鑑みて為されたものであり、未熟な美容師や素人であっても、基準染毛剤の混合によって染色される毛髪の仕上がり色を高精度で簡単に予測することができる調合染毛剤の染色結果予測方法を提供することを技術的課題とする。
【０００７】
また、本発明は、目的色を作り出すための基準染毛剤の調合比を簡単に求めることができる配合比率決定方法を提供することを技術的課題とする。
【０００８】
【課題を解決するための手段】
本発明者が上記課題を解決するために採用した手段を添付図面を参照して説明すれば次のとおりである。
【０００９】
即ち、本発明は、少なくとも複色の染毛剤Ａ・Ｂ・Ｃ…を調合して調合染毛剤Ｍを生成し、この調合染毛剤Ｍで染色される毛髪が呈する近似色を予測する方法であって、
サンプル毛束Ｓを前記染毛剤Ａ・Ｂ・Ｃ…で各々染色して試染毛束Ａ’・Ｂ’・Ｃ’…を作製し、これら各試染毛束Ａ’・Ｂ’・Ｃ’…が示す色合いをマンセル表色系カラーサークル１上に座標ａ・ｂ・ｃ…としてプロットする一方、
一染毛剤に他染毛剤を添加していき、前記マンセル表色系カラーサークル１上で色変化を確認しながら調合して各染毛剤同士の色強度の相対関係を求め、
前記座標ａ・ｂ・ｃ…の距離比分関係に基づいて、調合染毛剤Ｍによって染色される毛髪の仕上がり色を予測できるという技術的手段を採用することによって調合染毛剤の染色結果予測方法を完成した。
【００１０】
また、本発明は、上記課題を解決するために、必要に応じて上記手段に加え、円周に沿って、赤、赤橙、橙、黄橙、黄、黄緑、緑、青緑、青、青紫、紫、赤紫の１２色相が対面補色関係になるように配色され、かつ、中心に向かって小彩度になるようにカラーグラデーションを表示して形成せるマンセル表色系カラーサークル１を用いるという技術的手段を採用した。
【００１１】
更にまた、本発明は、上記課題を解決するために、必要に応じて上記手段に加え、円周に沿って、赤、赤橙、橙、黄橙、黄、黄緑、緑、青緑、青、青紫、紫、赤紫の１２色相が３０度毎の等間隔に対面補色関係になるように配色され、か
つ、中心に向かって小彩度になるようにカラーグラデーションを表示して形成せるマンセル表色系カラーサークル１を用いるという技術的手段を採用した。
【００１２】
更にまた、本発明は、上記課題を解決するために、必要に応じて上記手段に加え、色票パネルが等間隔に配列されて形成せるマンセル表色系カラーサークル１を用いるという技術的手段を採用した。
【００１３】
更にまた、本発明は、上記課題を解決するために、必要に応じて上記手段に加え、サンプル毛束Ｓを染色した試染毛束Ａ’・Ｂ’・Ｃ’…が各色票パネル上に配置されて成るマンセル表色系カラーサークル１を用いるという技術的手段を採用した。
【００１４】
更にまた、本発明は、上記課題を解決するために、必要に応じて上記手段に加え、マンセル表色系カラーサークル１をコンピュータ表示手段に表示し、座標ａ・ｂ・ｃ…を画面上にプロットし、これら座標ａ・ｂ・ｃ…の距離比分関係に基づいて電算処理することによって、調合染毛剤Ｍによって染色される毛髪の仕上がり色を予測できるという技術的手段を採用した。
【００１５】
また、本発明は、毛髪を目的色に染色すべく調合染毛剤Ｍを生成するために必要な複色の染毛剤の配合比率を決定する方法であって、
目的とする毛髪の色合いを目的色座標Ｔとしてマンセル表色系カラーサークル１上の対応位置にプロットする一方、
染毛剤Ａ・Ｂ・Ｃ…で各々染色して試染毛束Ａ’・Ｂ’・Ｃ’…を作製し、各試染毛束Ａ’・Ｂ’・Ｃ’…の示す色強度をマンセル表色系カラーサークル１上に仮定座標ａ’　・ｂ’　・ｃ’　…としてプロットし、
これらの仮定座標ａ’　・ｂ’　・ｃ’　…と前記目的色座標Ｔとの距離比分関係に基づいて、調合染毛剤Ｍを作製するために必要な各染毛剤Ａ・Ｂ・Ｃ…の混合分量比率を決定するという技術的手段を採用することによって調合染毛剤の配合比率決定方法を完成した。
【００１６】
また、本発明は、上記課題を解決するために、必要に応じて上記手段に加え、円周に沿って、赤、赤橙、橙、黄橙、黄、黄緑、緑、青緑、青、青紫、紫、赤紫の１２色相が対面補色関係になるように配色され、かつ、中心に向かって小彩度になるようにカラーグラデーションを表示して形成せるマンセル表色系カラーサークル１を用いるという技術的手段を採用した。
【００１７】
更にまた、本発明は、上記課題を解決するために、必要に応じて上記手段に加え、マンセル表色系カラーサークル１をコンピュータ表示手段に表示し、仮定座標ａ’　・ｂ’　・ｃ’　…および目的とする毛髪の色合いを目的色座標Ｔとしてマンセル表色系カラーサークル１上の対応位置にプロットする一方、仮定座標ａ’　・ｂ’　・ｃ’　…と目的色座標Ｔとの距離比分関係に基づいて電算処理することによって、これらの仮定座標ａ’　・ｂ’　・ｃ’　…と前記目的色座標Ｔとの距離比分関係に基づいて、調合染毛剤Ｍを作製するために必要な各染毛剤Ａ・Ｂ・Ｃ…の混合分量比率を決定するという技術的手段を採用した。
【００１８】
【発明の実施の形態】
本発明の実施形態を具体的に図示した図面に基いて更に詳細に説明すると次のとおりである。
【００１９】
『第１実施形態』
本発明の第１実施形態を図１から図４に基いて説明する。図中、符号１で指示するものはマンセル表色系カラーサークルであり、このマンセル表色系カラーサークル１は、円周に沿って、赤、赤橙、橙、黄橙、黄、黄緑、緑、青緑、青、青紫、紫、赤紫の１２色相が（本実施形態では、３０度毎の等間隔に）対面補色関係になるように配色され、かつ、中心に向かって小彩度になるようにカラーグラデーションを表示して形成されている。
【００２０】
しかして、本実施形態におけるマンセル表色系カラーサークル１を用いる調合染毛剤の染色結果予測方法を順を追って説明する。本実施形態に使用する染毛剤は、それぞれ色合いを有しているが、この色合いは、色相（Ｈｕｅ）、明度（Ｖａｌｕｅ）、彩度（Ｃｈｒｏｍａ）の３要素から成り、色相には補色関係や干渉強さ（以下、色強度という）があるために、同質量の染毛剤を混合してもマンセル表色系カラーサークル１上において中間点となる中間色を呈するとは限らないため、染色剤同士の色強度の相対関係の求める必要があり、その方法を以下に説明する。
【００２１】
はじめに２色の場合の求め方を説明する（図１参照）。まず、基準となる各染毛剤ＡおよびＢでサンプル毛束Ｓ（白髪やヤク毛など）をそれぞれ染色し、こうして染色したものが、マンセル表色系カラーサークル１内のどの位置に相当するかを目視で決定し、座標ａおよび座標ｂとしてプロットし、これら２点を結ぶ線分ａｂを作図する。
【００２２】
そして、線分ａｂの中点を点ｐとし、この点ｐにあたる染毛剤の中間色を作製するために、一染毛剤に他染毛剤を添加していき、前記マンセル表色系カラーサークル１上で色変化を確認しながら調合する。この際、染毛剤Ａおよび染毛剤Ｂの配合量をそれぞれｘ（ｇ）、ｙ（ｇ）とすると、染毛剤Ａと染毛剤Ｂの色強度比は、
１／ｘ：１／ｙ＝ｙ：ｘ
と表わすことができる。また、染毛剤Ａおよび染毛剤Ｂの比率を調整しながら調合することにより、マンセル表色系カラーサークル１上の線分ａｂ上に表示される色を作り出すことができる。なお、染毛剤を薄めて使用した場合は、希釈倍率を乗じれば良い。
【００２３】
次に、３色の色強度の相対関係の求め方を説明する（図２参照）。本実施形態では、赤系、青系、黄色系のものをそれぞれ選出した。この際、３色の濃淡の差異が大きい場合は、濃い方を薄めて判定する方が望ましい。
【００２４】
そして、前出の２種類の調合の場合と同様にして、染毛剤Ａおよび染毛剤Ｂの色強度比を求める。まず、これらの座標ａ・ｂ・ｃのうち、２点（ａおよびｂ）を選び出して線分ａｂを作図し、この線分ａｂの中点を点ｐ（中間色）とする。
【００２５】
染毛剤Ａのｘ（ｇ）に染毛剤Ｂを混合して仮調合染毛剤Ｍ１　を作製してサンプル毛束Ｓを染毛し、目視で中間色になる配合比率を求める。この際の配合量をそれぞれｘ（ｇ）、ｙ（ｇ）とすると、染毛剤Ａと染毛剤Ｂの色強度比は、
１／ｘ：１／ｙ＝ｙ：ｘ
となる。染毛剤を薄めて使用した場合は、希釈倍率を乗じれば良い。
【００２６】
また、同様にして染毛剤Ａと染毛剤Ｃの色強度比を求める。マンセル表色系カラーサークル１上に座標ａおよび座標ｃの２点を結ぶ線分ａｃを作図し、この線分ａｃの中点を点ｑ（中間色）とする。そして、染毛剤Ａのｘ（ｇ）に染毛剤Ｃを混合して作製した仮調合染毛剤Ｍ２　でサンプル毛束Ｓを染色し、目視によって点ｑの色になる染毛剤Ｃの配合量をｚ（ｇ）とすると、染毛剤Ａと染毛剤Ｃの色強度比は、
１／ｘ：１／ｚ＝ｚ：ｘ＝ｙｚ：ｘｙ
と表わすことができる。前述同様に染毛剤を薄めて使用した場合は、希釈倍率を乗じれば良い。
【００２７】
更にまた、同様にして、染毛剤Ｂと染毛剤Ｃの色強度比を求める。マンセル表色系カラーサークル１上に座標ｂおよび座標ｃの２点を結ぶ線分ｂｃを作図し、この線分ｂｃの中点を点ｒ（中間色）とする。染毛剤Ｂのｙ（ｇ）に染毛剤Ｃを混合して作製した仮調合染毛剤Ｍ３　でサンプル毛束Ｓを染色し、目視によって点ｒの色になる染毛剤Ｃの配合量をｚ’（ｇ）とすると、染毛剤Ｂと染毛剤Ｃの色強度比は、
１／ｙ：１／ｚ’＝ｚ’：ｙ＝ｚ’ｘ：ｘｙ
と表わすことができる。
【００２８】
こうして求められた前記染毛剤Ａおよび染毛剤Ｂとの色強度比の結果と、染毛剤Ａおよび染毛剤Ｃとの色強度比の結果、染毛剤Ｂおよび染毛剤Ｃとの色強度比の結果とを合わせることによって、
ｙｚ：ｚｘ：ｘｙ
または、　　　　　　　　　　ｙｚ’：ｚ’ｘ：ｘｙ
または、　　　　　　　　　　ｙｚ：ｚ’ｘ：ｘｙ
と表わすことができる。この際、ｚ＝ｚ’であるとすると、染毛剤Ａおよび染毛剤Ｂ、染毛剤Ｃの色強度比は、結果的に、
ｙｚ：ｚｘ：ｘｙ
と表わすことができるので、何れか２色を選択して色強度比を求めれば良いことになる。
【００２９】
この際、上記で求めたｚとｚ’との間に誤差が生じると不都合であるので、より高精度な色強度比を求める方法を図３に基いて以下に説明する。
【００３０】
まず、染毛剤Ａと染毛剤Ｂを混合してできる仮調合染毛剤Ｍ１　の色は、染毛剤Ａをｘｗ（ｇ）と染毛剤Ｂをｙｖ（ｇ）とを混合して作製されたものであって、このときの染毛剤Ａおよび染毛剤Ｂの混合比に固定した上で、この仮調合染毛剤Ｍ１　に染毛剤Ｃを混合して無彩色（即ち、マンセル表色系カラーサークル１の中心点Ｏ）になるような染毛剤Ｃの配合量ｚ１　の値を求めることによって、より高精度な３色間の色強度の比率を決定することができる。
【００３１】
そして、仮調合染毛剤Ｍ２　の色は、染毛剤Ｂをｎ／（Ｂの色強度）（ｇ）、染毛剤Ｃをｍ／（Ｃの色強度）（ｇ）の比率（＝ｙｖ：ｚ１　）で混合することによって作ることができるので、染毛剤Ｂおよび染毛剤Ｃの色強度比は、
ｚ１　ｎ：ｖｙｍ
と表わすことができる。従って、無彩色を作るための３色の調合比率と作図上のｖ，ｍ，ｎの比率を算出することによって染毛剤Ａおよび染毛剤Ｂ、染毛剤Ｃの色強度比は、
ｙｎｚ１　：ｘｎｚ１　：ｍｖｘｙ
と表わすことができる。
【００３２】
更にまた、別に加える染毛剤の色強度を求めたいときは、この３色のうち２色との関連を前段同様にして決定すれば良い。この際、マンセル表色系カラーサークル１上において出来るだけ離れた位置関係にあるような２点を選択する方が精度を高めるためにより好ましい。
【００３３】
こうして求められた染毛剤同士の色強度比を利用して、染毛剤を調合する場合の混色結果予測方法を以下に説明する。
【００３４】
（ｉ）３種類の染毛剤を調合する場合の混色結果予測（図４参照）
この場合、染毛剤２色＋染毛剤１色を混合するとして考える。例えば、染毛剤Ａおよび染毛剤Ｂおよび染毛剤Ｃを、ｘ（ｇ）、ｙ（ｇ）、ｚ（ｇ）混合する場合、方法としては、
（ア）（染毛剤Ａ＋染毛剤Ｂ）＋染毛剤Ｃ、
（イ）（染毛剤Ｂ＋染毛剤Ｃ）＋染毛剤Ａ、
（ウ）（染毛剤Ａ＋染毛剤Ｃ）＋染毛剤Ｂの３通りが考えられるが、このうち２通りについて考えれば良い。
【００３５】
この際、染毛剤Ａおよび染毛剤Ｂおよび染毛剤Ｃの色強度比が、Ａ１　：Ｂ１　：Ｃ１　であるとすると、各染毛剤の配合量と色強度を乗じて求めた配合比率は、
ｘＡ１　：ｙＢ１　：ｚＣ１　
と表わすことができる。
【００３６】
そして、（ア）に従って、染毛剤Ａと染毛剤Ｂの２色の線分ａｂを（ｘＡ１　＋ｙＢ１　）等分し、点ａからｙＢ１　離れた地点の色を調合色ＡＢとする。次に、（イ）に従って、染毛剤Ｂと染毛剤Ｃの２色の線分ｂｃを（ｙＢ１　＋ｚＣ１　）等分し、点ｂからｚＣ１　離れた地点の色を調合色ＢＣとする。
【００３７】
こうして作図された線分ｃ・ＡＢと線分ａ・ＢＣとの交点Ｒに対応するマンセル表色系カラーサークル１上に示される色合いが、染毛剤Ａをｘ（ｇ）、染毛剤Ｂをｙ（ｇ）、染毛剤Ｃをｚ（ｇ）混合した際に出来る近似色であると予測することができる。この際、線分ｂ・ＡＣも前記交点Ｒで交差することから、３通りのうち２通りを実施すれば良い。
【００３８】
（ｉｉ）４種類以上の染毛剤を調合する場合の混色結果予測（図５参照）
この場合、まず、前記した３種類の場合の予測方法を使用して３色の混色結果を求め、染毛剤３色＋染毛剤１色を混合するとして考える。例えば、染毛剤Ａおよび染毛剤Ｂおよび染毛剤Ｃおよび染毛剤Ｄを、それぞれｘ（ｇ）、ｙ（ｇ）、ｚ（ｇ）、ｔ（ｇ）ずつ混合する場合、方法としては、
（ア）（染毛剤Ａ＋染毛剤Ｂ＋染毛剤Ｃ）＋染毛剤Ｄ、
（イ）（染毛剤Ａ＋染毛剤Ｂ＋染毛剤Ｄ）＋染毛剤Ｃ、
（ウ）（染毛剤Ａ＋染毛剤Ｃ＋染毛剤Ｄ）＋染毛剤Ｂ、
（エ）（染毛剤Ｂ＋染毛剤Ｃ＋染毛剤Ｄ）＋染毛剤Ａの４通りが考えられるが、これらのうち２通りについて考えれば良い。
【００３９】
そして、染毛剤Ａおよび染毛剤Ｂおよび染毛剤Ｃを混合してできる調合色Ｅ１　を求め、また、染毛剤Ａおよび染毛剤Ｂおよび染毛剤Ｄを混合してできる調合色Ｅ２　を求める。そして、線分ｄＥ１　および線分ｃＥ２　との交点Ｒに対応するマンセル表色系カラーサークル１上に示される色合いが、これら４種類の染毛剤の混合色であると予測することができる。
【００４０】
『第２実施形態』
次に、本発明の第２実施形態を図６に基いて説明する。本実施形態は、染毛剤３種類で目的色を作製するためのそれぞれの染毛剤の配合比率を求める方法である。
【００４１】
まず、マンセル表色系カラーサークル１上において、目的色座標をＴとしてプロットする。そして、仮定座標ａ’・ｂ’・ｃ’をプロットし、点ｂ’および点Ｔを通る直線と、線分ａ’ｃ’との交点をｉとし、点ｃ’および点Ｔを通る直線と、線分ａ’ｂ’との交点をｊとする。
【００４２】
この際、マンセル表色系カラーサークル１上における線分ａ’ｊの距離をｅ、線分ｂ’ｊの距離をｆとし、同様に、線分ａ’ｉの距離をｓ、線分ｃ’ｉの距離をｔとする。
【００４３】
ここで、ｊの色を作製するための染毛剤Ａと染毛剤Ｂとの配合比率は、
ｘ，ｙ，ｚを、各染色剤同士の中間色を作製するための配合量比であるとして、
ｆ／ｙ：ｅ／ｘ
となり、また、ｉの色を作製するための染毛剤Ａと染毛剤Ｃとの配合比率は、
ｔ／ｚ：ｓ／ｘ
となる。従って、目的色座標Ｔの位置の色を作製する場合の染色剤Ａと染色剤Ｂと染色剤Ｃとの配合比率は、
ｆｔ／ｙ：ｅｔ／ｘ：ｆｓｚ／ｘｙ
と表わすことができる。
【００４４】
このようにして、染毛剤Ａおよび染毛剤Ｂおよび染毛剤Ｃの色強度を求めて、かつ、マンセル表色系カラーサークル１上に仮定座標ａ’・ｂ’・ｃ’をプロットして作図して交点ｉおよび交点ｊを求めることによって、ｅ，ｆおよびｓ，ｔの距離をそれぞれ求めることができることから、各染毛剤の必要分量を求めることができるのである。
【００４５】
本発明は概ね上記のように構成されるが、本発明は図示の実施形態に限定されるものでは決してなく、「特許請求の範囲」の記載内において種々の変更が可能であって、例えば、マンセル表色系カラーサークル１は、精度は若干落ちるが、１０色相であっても良い。また、色票パネルが等間隔に配列されて形成せるマンセル表色系カラーサークル１を用いることもでき、サンプル毛束Ｓを染色した試染毛束Ａ’・Ｂ’・Ｃ’…が各色票パネル上に配置したマンセル表色系カラーサークル１を用いることもできる。
【００４６】
更にまた、必要に応じて、マンセル表色系カラーサークル１をコンピュータ表示手段に表示して座標ａ・ｂ・ｃ…を画面上にプロットし、これら座標ａ・ｂ・ｃ…の距離比分関係に基づいて電算処理することによって、調合染毛剤Ｍによって染色される毛髪の色合いを予測したり、目的色を作製するための配合比率を決定することもでき、何れのものも本発明の技術的範囲に属する。
【００４７】
【発明の効果】
以上、実施形態をもって説明したとおり、本発明にあっては、マンセル表色系カラーサークルを用いて図上に作図するだけで良いので、未熟な美容師や素人であっても、調合染毛剤で染色される毛髪が呈する近似色を高精度で簡単に予測することができ、また、その配合比率をも簡単に求めることができる。従って、調合に失敗して染毛剤の材料をムダにすることもないことから、実用上の利用価値は頗る高いものがあると云える。
【図面の簡単な説明】
【図１】本発明の第１実施形態におけるマンセル表色系カラーサークル１上の作図を表わす説明図である。
【図２】本発明の第１実施形態におけるマンセル表色系カラーサークル１上の作図を表わす説明図である。
【図３】本発明の第１実施形態におけるマンセル表色系カラーサークル１上の作図を表わす説明図である。
【図４】本発明の第１実施形態におけるマンセル表色系カラーサークル１上の作図を表わす説明図である。
【図５】本発明の第１実施形態におけるマンセル表色系カラーサークル１上の作図を表わす説明図である。
【図６】本発明の第２実施形態におけるマンセル表色系カラーサークル１上の作図を表わす説明図である。
【符号の説明】
１　　マンセル表色系カラーサークル
【図１】
2004061439.tif 000003
【図２】
2004061439.tif 000004
【図３】
2004061439.tif 000005
【図４】
2004061439.tif 000006
【図５】
2004061439.tif 000007
【図６】
2004061439.tif 000008